(57)【要約】【課題】支持線部から切り離された後の光ファイバ心線を収納した本体部が、所定の曲げ半径以下には曲がりにくくされた自己支持型の光ファイバケーブルを提供する。【解決手段】本体部１１と支持線部１２からなる自己支持型の光ファイバケーブルであって、本体部１１は中心部に１本以上の光ファイバ心線１４を配し、その両側にテンションメンバ１５、１５’を配して本体部外被１６により一体に被覆してなり、テンションメンバの少なくとも一方は、支持線部１２と本体部１１の中心を通る中心軸Ｙから所定の距離離れた位置に１対の抗張力線材１５ａを対称に配し形成する。また、光ファイバケーブルの許容曲げ半径をＲ、１対の抗張力線材１５ａと中心軸Ｙとの距離をＤ、テンションメンバ１５の遊びをＦとしたとき、Ｄ／Ｒ≧Ｆの関係を満足させるように設定する。なお、テンションメンバ１５の遊びＦは、０.０１３〜０.０５３％とする。【選択図】図１
2006267629.tif 000002
【特許請求の範囲】
【請求項１】
本体部と支持線部からなる自己支持型の光ファイバケーブルであって、前記本体部は中心部に１本以上の光ファイバ心線を配し、その両側にテンションメンバを配して本体部外被により一体に被覆してなり、前記テンションメンバの少なくとも一方は、前記支持線部と本体部の中心を通る中心軸から所定の距離離れた位置に１対の抗張力線材を対称に配して形成されていることを特徴とする光ファイバケーブル。
【請求項２】
前記本体部の許容曲げ半径をＲ、前記１対の抗張力線材と前記中心軸との距離をＤ、テンションメンバの遊びをＦとしたとき、Ｄ／Ｒ≧Ｆの関係を満足させることを特徴とする請求項１に記載の光ファイバケーブル。
【請求項３】
前記テンションメンバの遊びＦが、０.０１３〜０.０５３％であることを特徴とする請求項２に記載の光ファイバケーブル。
【発明の詳細な説明】
【技術分野】
【０００１】
本発明は、光ファイバを屋外から屋内に引落とすのに用いられる本体部と支持線部からなる自己支持型の光ファイバケーブルに関する。
【背景技術】
【０００２】
インターネット等の急速な普及により情報通信の高速化、情報量の増大に加え、最近では双方向通信と大容量通信の光ネットワークの構築が進展し、通信事業者と各家庭を直接光ファイバで結び高速通信サービスを提供するＦＴＴＨ（Fiber To The Home）サービスが開始されている。このため、宅内への引き込みに用いられるドロップケーブルと言われている光ファイバケーブルの需要が増えている。
【０００３】
この光ファイバケーブルは、例えば、図３に示すように、本体部１と支持線部２を切り離し容易な首部３で一体に連結して構成されている（例えば、特許文献１参照）。本体部１は、例えば、テープ状の光ファイバ心線４の両端側にテンションメンバ５を平行に配し、本体部外被６により一体に被覆収納して構成される。また、本体部外被６の両側面には、内部の光ファイバ心線４を取り出しやすいように、引裂き用のノッチ９が設けられている。支持線部２は、鋼線等の高抗張力線からなる支持線７を、本体部外被６の成型と同時に成型される支持線部外被８で被覆して構成される。
【０００４】
光ファイバケーブルを布設する時、支持線部２は、張力を加えて構造物に固定したり、本体部１をクロージャ等に引き込むために、本体部１から部分的に切り離される。また、屋内の光配線に用いる場合にも、支持線部２を本体部１から切り離して使用される。このため、本体部１と支持線部２とは、手で容易に切り離せるように細幅の首部３を介して連結一体化されている。しかし、通常の使用形態では、本体部１は支持線部２にしっかり吊り下げ支持されるように一体に結合連結されている。
【特許文献１】特開２００３−９０９４２号公報
【発明の開示】
【発明が解決しようとする課題】
【０００５】
上記の特許文献１には、支持線部２から切り離された本体部１のクロージャへの収納作業性を改善するために、テンションメンバ５のサイズを変えて、本体部の曲げ剛性が所定の値となるようにしている。一方、本体部１と支持線部２とを切り離す場合、例えば、支持線部２を所定の位置で切断し、切断端から首部３に切り込みを入れ、次いで図４に示すように、本体部１側をＵ字状に折り返しながら矢印方向に引っ張るようにして切り離している。この切り離しには０.５ｋｇ〜２.０ｋｇ程度の力が必要であるが、上記の方法によれば、現場作業としては特別な工具を用いることなく本体部１を支持線部２から切り離すことができる。
【０００６】
しかし、本体部１に過度の曲がりが与えられて内部の光ファイバ心線に断線が生じることがあり、支持線部２と本体部１の切り離しの作業には、かなりの注意力をもって行なう必要があり、その作業性については十分であるとは言えないものであった。
本発明は、上述した実情に鑑みてなされたもので、支持線部から切り離された後の光ファイバ心線を収納した本体部が、所定の曲げ半径以下には曲がりにくくされた自己支持型の光ファイバケーブルの提供を課題とする。
【課題を解決するための手段】
【０００７】
本発明による光ファイバケーブルは、本体部と支持線部からなる自己支持型の光ファイバケーブルであって、本体部は中心部に１本以上の光ファイバ心線を配し、その両側にテンションメンバを配して本体部外被により一体に被覆してなり、テンションメンバの少なくとも一方は、支持線部と本体部の中心を通る中心軸から所定の距離離れた位置に１対の抗張力線材を対称に配して形成する。また、本発明による光ファイバケーブルの許容曲げ半径をＲ、１対の抗張力線材と中心軸との距離をＤ、テンションメンバの遊びをＦとしたとき、Ｄ／Ｒ≧Ｆの関係を満足させるように設定する。なお、テンションメンバの遊びＦは、０.０１３〜０.０５３％とする。
【発明の効果】
【０００８】
本発明によれば、従来の中心軸線上に配したテンションメンバを、中心軸を挟んで配される１対の抗張力線材で形成することにより、ケーブルの許容曲げ半径を所定以下にならないように制限することができ、過度の曲げで光ファイバ心線が破断するのを防止することができる。
【発明を実施するための最良の形態】
【０００９】
図１により本発明の実施形態を説明する。図１（Ａ）は単心の光ファイバ心線を収納した例を示し、図１（Ｂ）はテープ状の光ファイバ心線を収納した例を示す図である。図中、１１は本体部、１２は支持線部、１３は首部、１４は光ファイバ心線、１５，１５’はテンションメンバ、１５ａ，１５ｂは抗張力線材、１６は本体部外被、１７は支持線、１８は支持線被覆、１９はノッチを示す。
【００１０】
本発明による光ファイバケーブルは、図１（Ａ）に示すように、本体部１１と支持線部１２とからなる自己支持型の光ファイバケーブルで、本体部１１と支持線部１２とを細幅の首部１３により連結一体化して構成される。本体部１１は、例えば、中央部に１本以上の光ファイバ心線１４を配し、この光ファイバ心線１４と平行にテンションメンバ１５及び１５’を配して、本体部外被１６により一体に被覆収納して構成される。本体部外被１６の両側面には、従来と同様に内部の光ファイバ心線１４を取り出しやすいように引裂き用のノッチ１９を設けることができる。
【００１１】
本体部１１を構成する本体部外被１６は、難燃性ポリエチレン（ＰＥ）やポリ塩化ビニル（ＰＶＣ）等の熱可塑性樹脂で形成し、例えば、両側面が平坦な矩形状断面とする。なお、矩形状断面と言っても厳密な矩形である必要はなく、本体部１１の両側面が中心軸Ｙに対して平行な平面となるように形成されていればよく、角部が丸められた円形、長円形に近い形状であってもよい。なお、光ファイバケーブルは、収納される光ファイバ心線１４が１〜数本の場合、例えば、本体部１１の横幅Ｌ１が２.０ｍｍ程度、高さ幅Ｌ２が３.１ｍｍ程度、支持線部１２を含めた全体の高さＬ３が５.３ｍｍ程度で、支持線部１２の直径が２.０ｍｍ程度で形成される。
【００１２】
支持線部１２は、鋼線等の高抗張力線からなる支持線１７を支持線被覆１８で被覆して構成される。支持線被覆１８は、本体部外被１６と同じ樹脂材料で本体部外被１６の成型と同時に中央の細幅の首部１３を介して成型される。この構成により、光ファイバ心線１４、テンションメンバ１５，１５’と支持線１７は、一体化される。
光ファイバケーブルを布設する際には、支持線部１２を所定の位置で切断し、両端に張力を加えて構造物に固定したり、クロージャ等に挿通される。この場合、支持線部１２の切断された端部に切り込みを入れて、図４で示したように、本体部１１の側面側をＵ字状に曲げながら細幅の首部１３を破断して、本体部１１と支持線部１２とを部分的に切り離なす。
【００１３】
本発明における光ファイバ心線１４は、標準外径が１２５μｍのガラスファイバを外径が２５０μｍ前後の保護被覆で被覆した光ファイバ素線と称されているもの、並びに、その外側にさらに補強被覆を施した構成のもの全てを含むものとする。この光ファイバ心線１４は、１本〜数本程度を本体部外被１６で直接被覆して配されるが、複数本の光ファイバ心線を共通被覆で一体化したテープ状の光ファイバ心線とした形態で用いてもよい。
【００１４】
光ファイバ心線１４に平行に配されるテンションメンバ１５及び１５’は、鋼線あるいはガラス繊維強化プラスチック（ＦＲＰ）、アラミド繊維強化プラスチック（Ｋ−ＦＲＰ）などの抗張力線材を用いることができる。本発明におけるテンションメンバ１５及び１５’は、本体部１１と支持線部１２の中心を通る中心軸Ｙ上で、光ファイバ心線１４を両側から挟むようにして配置される。
【００１５】
本発明においては、テンションメンバの少なくとも一方、例えば、支持線部１２側に位置するテンションメンバ１５を１対の抗張力材１５ａで形成する。反対側の支持線部１２を有しない側のテンションメンバ１５’は従来通りの単一の抗張力線材１５ｂで形成することができる。なお、支持線部１２側に単一の抗張力線材１５ｂからなるテンションメンバ１５’を設け、支持線部１２を有しない側に１対の抗張力材１５ａからなるテンションメンバ１５を設けるようにしてもよい。
【００１６】
テンションメンバ１５は、１対の抗張力線材１５ａを中心軸Ｙから所定の距離Ｄだけ離した対称配置で形成され、１対の抗張力線材１５ａ間の距離は２Ｄとなるようにされる。なお、テンションメンバ１５側の抗張力線材１５ａの１本の断面積は、テンションメンバ１５’側の単一の抗張力線材１５ｂを用いる場合より細くして、テンションメンバ１５側と１５’側の抗張力は同じ程度になるようにすることができる。
【００１７】
上記のように、光ファイバケーブルの本体部１１に、１対の抗張力線材１５ａからなるテンションメンバ１５を配することにより、本体部１１を支持線部１２から切り離して中心軸Ｙと平行な面方向に湾曲すると、湾曲の内側となる抗張力線材１５ａは圧縮応力を受け、外側の抗張力線材は引張り応力を受けることとなり、湾曲するのを抑制するように働く。これにより、本体部１１が過度に曲げられ、内部の光ファイバ心線が断線するのを防止することができる。
【００１８】
しかし、本体部１１を曲げる際に、抗張力線材１５ａに直ちに引張り応力が生じるのではなく、曲げの初期に応力が生じない多少の遊びがある。本発明では、この遊びを利用して所定半径までは容易に曲げることができるが、遊びがゼロとなって本体部１１が所定の半径以下に曲げられるのを阻止されるようにしている。ここで、本体部１１の許容曲げ半径をＲ、抗張力線材１５ａと中心軸Ｙとの距離をＤ、抗張力線材１５ａの遊びをＦとしたとき、「Ｄ／Ｒ≧Ｆ（％）」の関係が得られるようにするのが望ましい。
【００１９】
具体的には、本体部１の許容曲げ半径Ｒが１５ｍｍ〜３０ｍｍであり、抗張力線材１５ａと中心軸Ｙとの距離Ｄを０.４ｍｍ〜０.８ｍｍであるとすると、抗張力線材１５ａの遊びＦは、０.０１３〜０.０５３（％）となる。なお、この遊びＦを所定値に設定するには、本体部外被の成型時に、光ファイバ心線とともに供給される抗張力線材１５ａの繰出し張力を調整することにより行なうことができる。
【００２０】
図１（Ｂ）は、収納する光ファイバ心線１４に複数本の光ファイバ心線を１列平行に並べてテープ状にした光ファイバテープ心線を用いた例を示したものである。この場合は、テープ状に一列に配された複数本の光ファイバ心線１４が、中心軸Ｙ上に一列に並ぶように本体部外被１６内に収納する。１対の抗張力線１５ａからなるテンションメンバ１５と単一の抗張力線材１５ｂからなるテンションメンバ１５’は、図１（Ａ）の場合と同様に、光ファイバ心線の両端を挟むようにして平行に配される。
【００２１】
図２は、他の実施形態を説明する図で、図２（Ａ）は単心の光ファイバ心線を収納した例を示し、図２（Ｂ）はテープ状の光ファイバ心線を収納した例を示す図である。図中の符号は図１に用いたのと同じ符号を用いることにより説明を省略する。この実施形態は、光ファイバ心線１４を挟む両側のテンションメンバをいずれも、１対の抗張力線材１５ａで形成したものである。
【００２２】
この例は、光ファイバ心線１４を挟む両側のテンションメンバ１５は、いずれも中心軸Ｙを挟んで１対の抗張力線材１５ａで形成されているため、バランスのとれた構成となり、本体部外被１６の成型が容易となる。また、本体部１１を支持線部１２から切り離して中心軸Ｙと平行な面方向に湾曲すると、両側のテンションメンバ１５の抗張力線材１５ａで、均等に圧縮応力と引張り応力を受けるので、本体部１１の湾曲に捻じれが発生せず均等な曲げ応力で所定の曲げ半径以下に曲げられるのを阻止することができる。
【図面の簡単な説明】
【００２３】
【図１】本発明の実施形態を説明する図である。
【図２】本発明の他の実施形態を説明する図である。
【図３】従来の技術を説明する図である。
【図４】支持線部と本体部を切り離す形態を説明する図である。
【符号の説明】
【００２４】
１１…本体部、１２…支持線部、１３…首部、１４…光ファイバ心線、１５，１５’…テンションメンバ、１５ａ，１５ｂ…抗張力線材、１６…本体部外被、１７…支持線、１８…支持線被覆、１９…ノッチ。
【図１】
2006267629.tif 000003
【図２】
2006267629.tif 000004
【図３】
2006267629.tif 000005
【図４】
2006267629.tif 000006